(57)【要約】【課題】  ディスプレイパネル駆動方法および装置を提供する。【解決手段】  走査電極および共通電極により備えられるディスプレイセルを複数のグループに区分し、各グループに対して一つのフレームを複数個のサブフィールドに分割して駆動し、サブフィールドはアドレス区間および維持区間を含み、アドレス区間でディスプレイされるセルを選択し、維持区間で、走査電極および共通電極に維持放電信号のハイレベルおよびローレベルが交互に印加されて維持放電が行われ、少なくとも一つの維持区間で、走査電極に印加される維持放電信号のハイレベルの電位および印加タイミングはあらゆるグループで同一であり、走査電極に印加される維持放電信号のローレベルの電位は第１ローレベルおよび該レベルより高い第２ローレベルが混合されて存在し、第１および第２ローレベルが各グループ別に相異なるタイミングで印加される。【選択図】  図１１
2005284249.tif 000002
【特許請求の範囲】
【請求項１】
走査電極および共通電極により備えられるディスプレイセルを複数のグループに区分し、各グループに対して一つのフレームを複数個のサブフィールドに分割してディスプレイパネルを駆動するディスプレイパネル駆動方法において、
前記サブフィールドは、アドレス区間および維持区間を含み、
前記アドレス区間でディスプレイされるセルを選択し、
前記維持区間で、前記走査電極および前記共通電極に維持放電信号のハイレベルおよびローレベルが交互に印加されて維持放電が行われ、
少なくとも一つの維持区間で、
前記走査電極に印加される維持放電信号のハイレベルの電位および印加タイミングはあらゆるグループで同一であり、
前記走査電極に印加される維持放電信号のローレベルの電位は第１ローレベルおよび前記第１ローレベルより高い第２ローレベルが混合されて存在し、
前記第１ローレベルおよび前記第２ローレベルが前記各グループ別に相異なるタイミングで印加されることを特徴とするディスプレイパネル駆動方法。
【請求項２】
前記走査電極の第１ローレベルと前記共通電極のハイレベルとが重畳される期間には放電が発生することを特徴とする請求項１に記載のディスプレイパネル駆動方法。
【請求項３】
前記走査電極の第２ローレベルと前記共通電極のハイレベルとが重畳される期間には放電が発生しないことを特徴とする請求項１に記載のディスプレイパネル駆動方法。
【請求項４】
前記第２ローレベル電位は、
前記アドレス区間で前記走査電極に印加される走査パルスのハイレベルとローレベルとの電位差と同一であることを特徴とする請求項１に記載のディスプレイパネル駆動方法。
【請求項５】
走査電極および共通電極により備えられるディスプレイセルを複数のグループに区分し、各グループに対して一つのフレームを複数個のサブフィールドに分割して駆動するディスプレイパネル駆動方法において、
前記サブフィールドは、アドレス区間および維持区間を含み、
前記サブフィールドのうち少なくとも一つは、
各グループ別に前記アドレス区間および前記維持区間を順次に実行するが、各グループのアドレス動作を行った後に前記アドレスされたグループのセルに対して維持区間を実行し、前記維持区間が終了した後に他のグループのセルに対してアドレス動作を行って、いずれか一つのグループのセルに対して維持区間を実行する間に既にアドレス区間が行われた他のグループのセルに対しても選択的に維持区間を実行し、
少なくとも一つの維持区間で、
前記走査電極に印加される維持放電信号のハイレベルの電位および印加タイミングはあらゆるグループで同一であり、
前記走査電極に印加される維持放電信号のローレベルの電位は第１ローレベルおよび前記第１ローレベルより高い第２ローレベルが混合されて存在し、
前記第１ローレベルおよび前記第２ローレベルが前記各グループ別に相異なるタイミングで印加されることを特徴とするディスプレイパネル駆動方法。
【請求項６】
前記走査電極の第１ローレベルと前記共通電極のハイレベルとが重畳される期間には放電が発生することを特徴とする請求項５に記載のディスプレイパネル駆動方法。
【請求項７】
前記走査電極の第２ローレベルと前記共通電極のハイレベルとが重畳される期間には放電が発生しないことを特徴とする請求項５に記載のディスプレイパネル駆動方法。
【請求項８】
前記第２ローレベル電位は、
前記アドレス区間で前記走査電極に印加される走査パルスのハイレベルとローレベルとの電位差と同一であることを特徴とする請求項５に記載のディスプレイパネル駆動方法。
【請求項９】
前記維持区間は、
あらゆるグループに対して一定期間共通的に維持放電を行う共通区間をさらに含むことを特徴とする請求項５に記載のディスプレイパネル駆動方法。
【請求項１０】
前記維持区間は、
各グループが所定の階調度を満足するように各グループに対して選択的に追加の維持放電を行う補正区間をさらに含むことを特徴とする請求項５に記載のディスプレイパネル駆動方法。
【請求項１１】
ディスプレイパネルの走査電極ラインに走査信号および維持放電信号を印加するために、
第１ノードと、
前記第１ノードに連結された維持駆動部と、
前記第１ノードに連結された走査信号ハイレベル印加部と、
前記第１ノードに連結された走査信号ローレベル印加部と、
前記走査信号ハイレベル印加部に一端が連結された第１スイッチと、
維持放電信号の第２ローレベル印加部と、
前記第１スイッチの他端と前記維持放電信号の第２ローレベル印加部間に連結された第２スイッチと、
前記第１スイッチの他端と前記走査電極ライン間に連結されたハイレベル走査スイッチと、
前記走査電極ラインおよび前記走査信号ローレベル印加部間に連結されたローレベル走査スイッチと、を具備することを特徴とするディスプレイパネル駆動装置。
【請求項１２】
前記第１スイッチと前記第２スイッチとは相互トグルスイッチングされることを特徴とする請求項１１に記載のディスプレイパネル駆動装置。
【請求項１３】
前記維持駆動部は、
前記維持放電信号のハイレベル電源部と、
前記ハイレベル電源部と前記第１ノード間に連結された前記維持放電信号のハイレベルスイッチと、
前記維持放電信号の第１ローレベル電源部と、
前記維持放電信号の第１ローレベル電源部と前記第１ノード間に連結された前記維持放電信号のローレベルスイッチと、を具備することを特徴とする請求項１１に記載のディスプレイパネル駆動装置。
【請求項１４】
前記走査信号ハイレベル印加部は、
ハイレベル走査電源と、
前記第１ノードと前記ハイレベル走査電源間に連結された走査キャパシタと、を具備し、
前記第１スイッチは、前記ハイレベル走査電源と前記走査キャパシタ間のノードに連結されたことを特徴とする請求項１１に記載のディスプレイパネル駆動装置。
【請求項１５】
前記走査信号ローレベル印加部は、
ローレベル走査電源と、
前記第１ノードと前記ローレベル走査電源間に連結された制御スイッチと、を具備することを特徴とする請求項１１に記載のディスプレイパネル駆動装置。
【請求項１６】
請求項１ないし１０のうちいずれか１項に記載の方法をコンピュータで実行させるためのプログラムを記録したコンピュータ可読記録媒体。
【発明の詳細な説明】
【技術分野】
【０００１】
本発明はプラズマディスプレイパネル（以下、ＰＤＰ）のようにアドレス期間と維持期間とが順次に実行されて画像を表示するディスプレイパネルに係り、特にディスプレイセルを複数のグループに分けて駆動するディスプレイパネル駆動方法および装置に関する。
【背景技術】
【０００２】
図１は、通常的な３電極面放電方式のＰＤＰの構造を示した図面である。
図１を参照すれば、通常的な面放電ＰＤＰ １の前方および後方のガラス基板１００、１０６間には、アドレス電極ラインＡ１，Ａ２，・・・，Ａｍ、誘電層１０２、１１０、Ｙ電極ラインＹ１，・・・，Ｙｎ、Ｘ電極ラインＸ１，・・・，Ｘｎ、蛍光層１１２、隔壁１１４および保護層として、例えば一酸化マグネシウム（ＭｇＯ）層１０４が設けられている。
【０００３】
アドレス電極ラインＡ１，Ａ２，・・・，Ａｍは後方のガラス基板１０６の前方に一定のパターンで形成される。下方の誘電層１１０はアドレス電極ラインＡ１，Ａ２，・・・，Ａｍの前方に塗布される。下方の誘電層１１０の前方には隔壁１１４がアドレス電極ラインＡ１，Ａ２，・・・，Ａｍと平行な方向に形成される。この隔壁１１４は各ディスプレイセルの放電領域を区画し、各ディスプレイセル間の光学的干渉を防止する機能をする。蛍光層１１２は隔壁１１４間で形成される。
【０００４】
Ｘ電極ラインＸ１，・・・，ＸｎおよびＹ電極ラインＹ１，・・・，Ｙｎは、アドレス電極ラインＡ１，Ａ２，・・・，Ａｍと直交するように前方のガラス基板１００の後方に一定のパターンで形成される。各交差点は相応するディスプレイセルを設定する。各Ｘ電極ラインＸ１，・・・，Ｘｎおよび各Ｙ電極ラインＹ１，・・・，Ｙｎは、ＩＴＯ（Ｉｎｄｉｕｍ Ｔｉｎ Ｏｘｉｄｅ）などのような透明な導電性材質の透明電極ラインＸｎａ，Ｙｎａと伝導度を高めるための金属電極ラインＸｎｂ，Ｙｎｂとが結合されて形成されうる。前方の誘電層１０２は、Ｘ電極ラインＸ１，・・・，ＸｎおよびＹ電極ラインＹ１，・・・，Ｙｎの後方に全面塗布されて形成される。強い電界からパネル１を保護するための保護層１０４、例えば、ＭｇＯ層は前方の誘電層１０２の後方に全面塗布されて形成される。放電空間１０８にはプラズマ形成用ガスが密封される。
【０００５】
このようなＰＤＰに一般的に適用される駆動方式は、初期化、アドレスおよびディスプレイ維持段階を単位サブフィールドで順次に行う方式である。初期化段階では駆動されるディスプレイセルの電荷状態が均一になる。アドレス段階では、選択されるディスプレイセルの電荷状態および選択されないディスプレイセルの電荷状態が設定される。ディスプレイ維持段階では、選択されるディスプレイセルでディスプレイ放電が行われる。この時、ディスプレイ放電を行うディスプレイセルのプラズマ形成用ガスからプラズマが形成され、このプラズマからの紫外線放射によって前記ディスプレイセルの蛍光層１１２が励起されて光が発生する。
【０００６】
図２は、図１のＰＤＰの一般的な駆動装置を示した。
図面を参照すれば、ＰＤＰ １の通常的な駆動装置は、映像処理部２００、論理制御部２０２、アドレス駆動部２０６、Ｘ駆動部２０８およびＹ駆動部２０４を含む。映像処理部２００は外部アナログ映像信号をデジタル信号に変換して内部映像信号、例えば、それぞれ８ビットの赤色（Ｒ）、緑色（Ｇ）および青色（Ｂ）映像データ、クロック信号、垂直および水平同期信号を発生させる。論理制御部２０２は映像処理部２００からの内部映像信号によって駆動制御信号ＳＡ、ＳＹ、ＳＸを発生させる。アドレス駆動部２０６は、論理制御部２０２からの駆動制御信号ＳＡ、ＳＹ、ＳＸのうちアドレス信号ＳＡを処理して表示データ信号を発生させ、発生した表示データ信号をアドレス電極ラインに印加する。Ｘ駆動部２０８は、論理制御部２０２からの駆動制御信号ＳＡ、ＳＹ、ＳＸのうちＸ駆動制御信号ＳＸを処理してＸ電極ラインに印加する。Ｙ駆動部２０４は、論理制御部２０２からの駆動制御信号ＳＡ、ＳＹ、ＳＸのうちＹ駆動制御信号ＳＹを処理してＹ電極ラインに印加する。
【０００７】
前記のような構造のＰＤＰ １の駆動方法として、主に使われるアドレス−ディスプレイ分離（Ａｄｄｒｅｓｓ−Ｄｉｓｐｌａｙ Ｓｅｐａｒａｔｉｏｎ、以下“ＡＤＳ”）駆動方法が特許文献１に開示されている。
【０００８】
図３は、図１のＰＤＰのＹ電極ラインに対する通常的なＡＤＳ駆動方法を示した。
図面を参照すれば、単位フレームは時分割階調表示を実現するために所定個数、例えば、８つのサブフィールドＳＦ１，・・・，ＳＦ８に分割されうる。また、各サブフィールドＳＦ１，・・・，ＳＦ８はリセット区間（図示せず）、アドレス区間Ａ１，・・・，Ａ８および、維持放電区間Ｓ１，・・・，Ｓ８に分割される。
【０００９】
各アドレス区間Ａ１，・・・，Ａ８では、アドレス電極ライン（図１のＡ１，Ａ２，・・・，Ａｍ）に表示データ信号が印加されると同時に各Ｙ電極ラインＹ１，・・・，Ｙｎに相応する走査パルスが順次に印加される。
各維持放電区間Ｓ１，・・・，Ｓ８では、Ｙ電極ラインＹ１，・・・，ＹｎおよびＸ電極ラインＸ１，・・・，Ｘｎにディスプレイ放電用パルスが交互に印加されて、アドレス区間Ａ１，・・・，Ａ８で壁電荷が形成された放電セルで表示放電を起こす。
【００１０】
ＰＤＰの輝度は単位フレームで占める維持放電区間Ｓ１，・・・，Ｓ８内の維持放電パルス個数に比例する。１画像を形成する一つのフレームが８個のサブフィールドおよび２５６階調で表現される場合に、各サブフィールドには順次１、２、４、８、１６、３２、６４、１２８の割合で相異なる維持パルスの数が割り当てられうる。もし、１３３階調の輝度を得るためには、サブフィールド１期間、サブフィールド３期間およびサブフィールド８期間中にセルをアドレスして維持放電すればよい。
【００１１】
各サブフィールドに割り当てられる維持放電数は、ＡＰＣ（Ａｕｔｏｍａｔｉｃ Ｐｏｗｅｒ Ｃｏｎｔｒｏｌ）段階によるサブフィールドの加重値によって可変的に決定できる。また、各サブフィールドに割り当てられる維持放電数は、ガンマ特性やパネル特性を考慮して多様に変形することが可能である。例えば、サブフィールド４に割り当てられた階調度を８から６に低め、サブフィールド６に割り当てられた階調度を３２から３４に高めることができる。また、１フレームを形成するサブフィールドの数も設計仕様によって多様に変形できる。
【００１２】
図４は、図１に図示されたパネルの駆動信号の一例を説明するためのタイミング図であって、ＡＣ ＰＤＰのＡＤＳ（Ａｄｄｒｅｓｓ Ｄｉｓｐｌａｙ Ｓｅｐａｒａｔｅｄ）駆動方式で１サブフィールドＳＦ内にアドレス電極Ａ、共通電極Ｘおよび走査電極Ｙ１〜Ｙｎに印加される駆動信号を表す。図４を参照すれば、１サブフィールドＳＦはリセット区間ＰＲ、アドレス区間ＰＡおよび維持放電区間ＰＳを具備する。
【００１３】
リセット区間ＰＲはあらゆるグループの走査ラインに対してリセットパルスを印加して強制的に書込み放電を行うことによって、全体セルの壁電荷状態を初期化する。アドレス区間ＰＡに入る前にリセット区間ＰＲが実行されるが、これは全画面にかけて実行されるため、かなり均一かつ所望の分布の壁電荷配置を作れる。リセット区間ＰＲにより初期化されたセルは、セル内部の壁電荷条件がいずれも類似して形成される。リセット区間ＰＲが実行された後にアドレス区間ＰＡが実行される。この時、アドレス区間ＰＡには、共通電極Ｘにバイアス電圧ＶＥが印加され、表示されるべきセル位置で走査電極Ｙ１〜Ｙｎとアドレス電極Ａ１〜Ａｍとを同時にターンオンさせることによって表示セルを選択する。アドレス区間ＰＡが実行された後に、共通電極Ｘおよび走査電極Ｙ１〜Ｙｎに維持パルスＶＳを交互に印加して維持放電区間ＰＳが実行される。維持放電区間ＰＳ中にアドレス電極Ａ１〜Ａｍにはローレベルの電圧ＶＧが印加される。ＰＤＰで輝度は維持放電パルス数によって調整される。一つのサブフィールドまたは一つのＴＶフィールドでの維持放電パルス数が多ければ輝度が増加する。
【００１４】
図５は、図１に図示されたパネルの駆動信号の他の例を説明するためのタイミング図であって、図４と違って、アドレス区間ＰＡで走査電極のハイレベル電圧ＶＳＣ−Ｈがローレベルの維持電圧、例えば接地電圧より小さな場合を表す。
【００１５】
図６は、図４に図示されたパネル駆動信号を具現するためのＹ駆動部２０４の回路図の一例である。図６でＹｓスイッチとＹｇスイッチ間のノードにはエネルギー回生回路が連結されうる。エネルギー回生回路はエネルギー回収用キャパシタ、インダクターを含み、パネルキャパシタンスとインダクター間のＬＣ共振を利用して消費電力の効率を向上させる。エネルギー回生回路は特許文献２、３にその例が開示されている。
【００１６】
図４および図６を参照すれば、リセット区間ＰＲでＶＳ〜ＶＳ＋ＶＳＥＴの上昇ランプ区間は、Ｙｓ、Ｃｓｅｔ、Ｙｒｒ１、ＳＣ＿Ｌ経路によってパネルに印加される。また、リセット区間ＰＲでＶＳ〜ＶＳＣ＿Ｌの下降ランプ区間は、Ｙｓ、Ｙｐｐがターンオンされた状態で、Ｙｆｒ、ＳＣ＿Ｌ経路によってパネルに印加される。
【００１７】
図７は、図４に図示されたパネル駆動信号を具現するためのＹ駆動部２０４の回路図の他の例である。図７には、図６と違ってＹｓｃｈ、Ｙｓｐスイッチが追加される。
リセット区間ＰＲを具現するためのスイッチング動作は、図６と同一であり、アドレス区間ＰＡおよび維持放電区間ＰＳを具現するためのスイッチング動作が次のように実行される。
【００１８】
アドレス区間ＰＡで、ハイレベル走査電圧ＶＳＣ＿ＨはＹｓｃｈ、ＳＣ＿Ｈスイッチを通じてパネルに印加され、ローレベル走査電圧ＶＳＣ＿ＬはＹｓｃ、ＳＣ＿Ｌスイッチを通じて印加される。
また維持放電区間ＰＳで、ローレベルからハイレベルに遷移する区間およびハイレベル維持電圧ＶＳは、Ｙｐｐ、Ｙｓｐ、ＳＣ＿Ｈスイッチを通じて印加される。またハイレベルからローレベルに遷移する区間およびローレベル維持電圧は、Ｙｐｐ、ＳＨ＿Ｌスイッチを通じて印加される。
【００１９】
図８は、図５に図示されたパネル駆動信号を具現するためのＹ駆動部２０４の回路図の一例である。図面に図示されていないが、ＹｓスイッチとＹｇスイッチ間のノードにはエネルギー回生回路が連結されうる。図８には、図６と違ってＹｐｎスイッチが追加される。Ｙｐｎは、図８で走査電圧Ｖｓｃ＿Ｌ、Ｖｓｃ＿ｈが接地電圧より低い場合に、アドレス区間ＰＡで接地電源およびＶｓｃ＿Ｌを遮断するために備えられる。もし、ＹｐｎなしにＹｐｐとＳＣ＿Ｌとが直接連結されれば、Ｙｇ、Ｙｐｐ、ＳＣ＿Ｌを通じて寄生ダイオードを通じて導通される。その他の駆動信号生成のためのスイッチング動作は図６と同一である。
【００２０】
図９は、図５に図示されたパネル駆動信号を具現するためのＹ駆動部２０４の回路図の他の例である。また図９には、図７と違ってＹｐｎスイッチが追加される。Ｙｐｎの役割は図８で説明した通りである。その他の駆動信号生成のためのスイッチング動作は図７と同一である。
前述した従来のＡＤＳ駆動方法は、維持区間ＰＳで走査電極および共通電極に交互に印加される維持放電信号のハイレベルおよびローレベルが固定されている。このような従来の駆動方法によれば、ディスプレイセルを複数のグループに区分して駆動するためには各グループ別に独立的な駆動回路を具備する必要があるので、駆動回路が複雑であり、かつコスト高になる問題点がある。
【００２１】
また前述したＡＤＳ駆動方法は、最初の走査電極Ｙ１から最後の走査電極Ｙｎまでのアドレス動作を完了した後、あらゆるセルに対して同時に維持放電動作を行うようにしたものである。このようなＡＤＳ駆動方法によれば、いずれか一つの走査ラインにアドレス動作が実行された後、その走査ラインでの維持放電動作は最後の走査ラインのアドレス動作が完了した後に初めて実行される。したがって、アドレス動作が起きたセルで維持放電動作が起きるまで相当な時間的なギャップが発生して維持放電動作が不安定になる問題点がある。
【特許文献１】米国特許第５，５４１，６１８号公報
【特許文献２】米国特許第４，８６６，３４９号公報
【特許文献３】米国特許第５，６７０，９７４号公報
【発明の開示】
【発明が解決しようとする課題】
【００２２】
本発明が解決しようとする技術的課題は、駆動回路の追加なしにディスプレイセルを複数のグループに区分して駆動するためのディスプレイパネル駆動方法を提供するところにある。
本発明が解決しようとする他の技術的課題は、階調性を具現するに当ってアドレス区間と維持区間間の時間的なギャップを最小化して円滑な維持放電が起きるようにするために、駆動回路の追加なしにディスプレイセルを複数のグループに区分して駆動するためのディスプレイパネル駆動方法を提供するところにある。
本発明が解決しようとするさらに他の技術的課題は、前記ディスプレイパネル駆動方法を行うためのディスプレイパネル駆動装置を提供するところにある。
【課題を解決するための手段】
【００２３】
前記技術的課題を解決するための本発明によるディスプレイパネル駆動方法は、走査電極および共通電極により備えられるディスプレイセルを複数のグループに区分し、各グループに対して一つのフレームを複数個のサブフィールドに分割して駆動し、前記サブフィールドは、アドレス区間および維持区間を含み、前記アドレス区間でディスプレイされるセルを選択し、前記維持区間で、前記走査電極および前記共通電極に維持放電信号のハイレベルおよびローレベルが交互に印加されて維持放電が行われ、少なくとも一つの維持区間で、前記走査電極に印加される維持放電信号のハイレベルの電位および印加タイミングはあらゆるグループで同一であり、前記走査電極に印加される維持放電信号のローレベルの電位は第１ローレベルおよび前記第１ローレベルより高い第２ローレベルが混合されて存在し、前記第１ローレベルおよび前記第２ローレベルが前記各グループ別に相異なるタイミングで印加されることを特徴とする。
【００２４】
前記ディスプレイパネル駆動方法において、前記走査電極の第１ローレベルと前記共通電極のハイレベルとが重畳される期間には放電が発生することが望ましい。
前記ディスプレイパネル駆動方法において、前記走査電極の第２ローレベルと前記共通電極のハイレベルとが重畳される期間には放電が発生しないことが望ましい。
前記ディスプレイパネル駆動方法において、前記第２ローレベル電位は、前記アドレス区間で前記走査電極に印加される走査パルスのハイレベルとローレベルとの電位差と同一である。
【００２５】
前記他の技術的課題を解決するための本発明によるディスプレイパネル駆動方法は、走査電極および共通電極により備えられるディスプレイセルを複数のグループに区分し、各グループに対して一つのフレームを複数個のサブフィールドに分割して駆動し、前記サブフィールドは、アドレス区間および維持区間を含み、前記サブフィールドのうち少なくとも一つは、各グループ別に前記アドレス区間および前記維持区間を順次に実行するが、各グループのアドレス動作を行った後に前記アドレスされたグループのセルに対して維持区間を実行し、前記維持区間が終了した後に他のグループのセルに対してアドレス動作を行って、いずれか一つのグループのセルに対して維持区間を実行する間に既にアドレス区間が実行された他のグループのセルに対しても選択的に維持区間を実行し、少なくとも一つの維持区間で、前記走査電極に印加される維持放電信号のハイレベルの電位および印加タイミングはあらゆるグループで同一であり、前記走査電極に印加される維持放電信号のローレベルの電位は第１ローレベルおよび前記第１ローレベルより高い第２ローレベルが混合されて存在し、前記第１ローレベルおよび前記第２ローレベルが前記各グループ別に相異なるタイミングで印加されることを特徴とする。
【００２６】
前記ディスプレイパネル駆動方法において、前記走査電極の第１ローレベルと前記共通電極のハイレベルとが重畳される期間には放電が発生することが望ましい。
前記ディスプレイパネル駆動方法において、前記走査電極の第２ローレベルと前記共通電極のハイレベルとが重畳される期間には放電が発生しないことが望ましい。
前記ディスプレイパネル駆動方法において、前記第２ローレベル電位は、前記アドレス区間で前記走査電極に印加される走査パルスのハイレベルとローレベルとの電位差と同一である。
前記ディスプレイパネル駆動方法において、前記維持区間は、あらゆるグループに対して一定期間共通的に維持放電を行う共通区間をさらに含む。
前記ディスプレイパネル駆動方法において、前記維持区間は、各グループが所定の階調度を満足するように各グループに対して選択的に追加の維持放電を行う補正区間をさらに含む。
【００２７】
前記さらに他の技術的課題を解決するための本発明によるディスプレイパネル駆動装置は、ディスプレイパネルの走査電極ラインに走査信号および維持放電信号を印加するために、第１ノードと、前記第１ノードに連結された維持駆動部と、前記第１ノードに連結された走査信号ハイレベル印加部と、前記第１ノードに連結された走査信号ローレベル印加部と、前記走査信号ハイレベル印加部に一端が連結された第１スイッチと、維持放電信号の第２ローレベル印加部と、前記第１スイッチの他端と前記維持放電信号の第２ローレベル印加部間に連結された第２スイッチと、前記第１スイッチの他端と前記走査電極ライン間に連結されたハイレベル走査スイッチと、前記走査電極ラインおよび前記走査信号ローレベル印加部間に連結されたローレベル走査スイッチと、を具備することを特徴とする。
【００２８】
前記第１スイッチと前記第２スイッチとは相互トグルスイッチングされる。
前記維持駆動部は、前記維持放電信号のハイレベル電源部と、前記ハイレベル電源部と前記第１ノード間に連結された前記維持放電信号のハイレベルスイッチと、前記維持放電信号の第１ローレベル電源部と、前記維持放電信号の第１ローレベル電源部と前記第１ノード間に連結された前記維持放電信号のローレベルスイッチとを具備する。
【００２９】
前記走査信号ハイレベル印加部は、ハイレベル走査電源と、前記第１ノードと前記ハイレベル走査電源間に連結された走査キャパシタとを具備し、前記第１スイッチは、前記ハイレベル走査電源と前記走査キャパシタ間のノードに連結される。
前記走査信号ローレベル印加部は、ローレベル走査電源と、前記第１ノードと前記ローレベル走査電源間に連結された制御スイッチとを具備する。
【発明の効果】
【００３０】
本発明によれば次のような効果がある。
第１に、駆動回路の追加なしにディスプレイセルを複数のグループに区分して駆動できる。
第２に、駆動回路の追加なしにディスプレイセルを複数のグループに区分し、フレーム−サブフィールド方式で階調性を表現かつ具現するに当って、アドレス区間と維持区間間の時間的なギャップを最小化して円滑な維持放電を発生させうる。
【発明を実施するための最良の形態】
【００３１】
以下、本発明の望ましい実施例によるディスプレイパネル駆動方法および装置の構成と動作を添付した図面を参照して詳細に説明する。本発明の実施例ではＡＣ型ＰＤＰの駆動方式を中心に説明する。
図１０は、走査電極を複数個（ｎ個）のグループに区分して、各グループに対して一つのフレームを複数個のサブフィールドに分割して駆動するディスプレイパネル駆動方法を説明するための図面である。図１０で各グループは８個のサブフィールドの組合わせにより階調を表現し、これは図３で説明した通りである。
【００３２】
走査電極を複数個のグループに分ける方式において、物理的な走査電極が配列された順序通りにいくつかずつまとめて複数のグループを形成できる。例えば、パネルが８００走査ラインで形成された場合、８個のグループに分けつつ第１〜１００番目の走査ラインを第１グループに、第１０１〜２００番目の走査ラインを第２グループに設定できる。ところが、走査ラインをグループ化するに当って、隣接するライン同士でまとめるのではなく一定間隔をおいて離れている走査ライン同士で同じグループにまとめることができる。すなわち、第１グループに第１，９，１７，・・・（８ｋ＋１）番目の走査電極を割り当て、第２グループに第２，１０，１８，・・・（８ｋ＋２）番目の走査電極を割り当てるのである。一方、必要に応じては任意に不規則な方式でも走査ラインをグループ化させることが可能である。
【００３３】
図１１は、本発明の望ましい一実施例によるディスプレイパネル駆動方法を説明するための維持区間ＰＳの一部のタイミング図である。図１１は、ディスプレイパネルのセルが２つの走査電極グループＹｇ１、Ｙｇ２によって区分された実施例である。
アドレス区間で選択されたディスプレイセルの維持放電は、走査電極および共通電極に維持放電信号のハイレベルとローレベルとが交互に印加されることによって行われる。
この時、走査電極および共通電極に形成された電位差が放電開始電圧より大きければ放電が発生し、そうでなければ放電が発生しない。
【００３４】
図１１で、共通Ｘ電極維持放電信号はハイレベルＶＳと第１ローレベルＶＬ１とよりなる。また、走査Ｙｇ１、Ｙｇ２電極維持放電信号は、ハイレベルＶＳと第１ローレベルＶＬ１および第２ローレベルＶＬ２が混合されてなる。
図面で、走査Ｙｇ１、Ｙｇ２電極のハイレベルＶＳと共通Ｘ電極のローレベルＶＬ１との電位差により走査Ｙｇ１、Ｙｇ２電極と共通Ｘ電極間に放電開始電圧より高い電圧が形成される。また、共通Ｘ電極のハイレベルＶｓと走査Ｙｇ１、Ｙｇ２電極の第１ローレベルＶＬ１との電位差により共通Ｘ電極と走査Ｙｇ１、Ｙｇ２電極間に放電開始電圧より高い電圧が形成される。また、共通Ｘ電極のハイレベルＶｓと走査Ｙｇ１、Ｙｇ２電極の第２ローレベルＶＬ２との電位差により共通Ｘ電極と走査Ｙｇ１、Ｙｇ２電極間に放電開始電圧より低い電圧が形成される。
【００３５】
第１グループ走査Ｙｇ１電極を見れば、維持放電信号値ＶＬ１→ＶＳ→ＶＬ２→ＶＳ→ＶＬ１→ＶＳ→ＶＬ１→ＶＳ順に印加されている。アドレス区間ＰＡでアドレスされたディスプレイセルは、維持区間ＰＳで第１グループ走査Ｙｇ１電極が第１ローレベルＶＬ１、共通Ｘ電極がハイレベルＶＳであれば、放電が発生しない。その後、第１グループ走査Ｙｇ１電極がハイレベルＶＳ、共通Ｘ電極がローレベルＶＬ１であれば、放電が発生する。その後、第１グループ走査Ｙｇ１電極が第２ローレベルＶＬ２であり、共通Ｘ電極がハイレベルＶＳであれば、放電が発生しない。したがって、その次の瞬間に、第１グループ走査Ｙｇ１電極がハイレベルＶＳになり、共通Ｘ電極がローレベルＶＬ１になっても放電が発生しない。結局２回の放電タイミングを飛び越える。次いで、第１グループ走査Ｙｇ１電極が第１ローレベルＶＬ１になり、共通Ｘ電極がハイレベルＶＳになって、放電が発生する。結局図１１に図示された維持区間の一部で共通Ｘ電極と第１グループの走査Ｙｇ１電極間には５回の放電が発生する。
【００３６】
第２グループ走査Ｙｇ２電極を見れば、維持放電信号値ＶＬ１→ＶＳ→ＶＬ１→ＶＳ→ＶＬ１→ＶＳ→ＶＬ２→ＶＳ順序に印加されている。アドレス区間ＰＡでアドレスされたディスプレイセルは、維持区間ＰＳで第２グループ走査Ｙｇ２電極が第１ローレベルＶＬ１であり、共通Ｘ電極がハイレベルＶＳであれば、放電が発生しない。その後、第２グループ走査Ｙｇ２電極がハイレベルＶＳであり、共通Ｘ電極がローレベルＶＬ１であれば、放電が発生する。次いで、第２グループ走査Ｙｇ２電極が第１ローレベルＶＬ１であり、共通Ｘ電極がハイレベルＶＳであれば、放電が発生する。このように、第２グループ走査Ｙｇ２電極および共通Ｘ電極にＶＳとＶＬ１とが交互に印加され、５回の放電が発生する。次いで、第２グループ走査Ｙｇ２電極が第２ローレベルＶＬ２であり、共通Ｘ電極がハイレベルＶＳであれば、放電が発生しない。その次の瞬間に、第２グループ走査Ｙｇ２電極がハイレベルＶＳになり、共通Ｘ電極がローレベルＶＬ１になっても放電が発生しない。結局、図１１に図示された維持区間の一部で、共通Ｘ電極と第２グループの走査Ｙｇ２電極間には５回の放電が発生する。
前述したように、走査電極グループ別に維持放電信号の第１ローレベルＶＬ１と第２ローレベルＶＬ２とを異に配置することによって、グループ別に異に維持放電を制御できる。
【００３７】
図１２は、本発明のアドレス／維持放電の混合方式によるディスプレイパネル駆動方法の望ましい一実施例を説明するための概略的な概念図である。図１２の実施例は、階調性を具現するに当ってアドレス区間と維持区間間の時間的なギャップを最小化して円滑な維持放電を起こすためのものであり、以下で詳細に説明する。
パネルの走査電極を複数のグループＧ１〜Ｇｎに分けて各グループに属する走査電極に対して順次にアドレス動作を行う。いずれか一つのグループに対してアドレス動作が実行された後、そのグループの走査電極には維持放電パルスが印加されて維持期間を行う。もし、いずれか一つのグループの走査電極に対して維持期間が実行される場合に既にアドレス動作が実行された他のグループの走査電極に対しても維持期間が選択的に実行されるようにする。このように、いずれか一つのグループのセルに対してアドレス期間に続いて一定の期間の維持期間が実行された後、まだアドレス動作が実行されていない他のグループの走査電極に対してアドレス期間が実行される。ここで、１パネルを構成する走査電極を複数のグループに分けつつ各グループに属する走査電極の数は各グループ別に均等に分割されるか、任意に異に調整されうる。
【００３８】
図１２で、一つのサブフィールドはリセット期間Ｒ、アドレス／維持混合区間Ｔ１、共通維持区間Ｔ２および輝度補正区間Ｔ３に区分して表示できる。図面で、点で表示されたブロックは混合区間Ｔ１のアドレス期間、左向き斜線で表示された区間は混合区間Ｔ１の維持期間、左向き斜線と右側斜線とが交差する区間は共通区間Ｔ２の維持期間、右向き斜線が表示された区間は補正区間Ｔ３の維持期間をそれぞれ表す。
【００３９】
ここで、共通維持区間Ｔ２および輝度補正区間Ｔ３は、サブフィールドによって適用されることもあり、そうでないことある。これは、サブフィールドに割り当てられた階調度の仕様によってその適用如何が決定される。自身に割り当てられた階調度の低いサブフィールドの場合、その階調度を具現するための維持期間が相対的に短く、割り当てられた階調度の高いサブフィールドの場合、必要な維持期間が相対的に長い必要がある。したがって、割り当てられた階調度の低いサブフィールドはアドレス／維持混合区間Ｔ１だけで構成され、割り当てられた階調度の高いサブフィールドはアドレス／維持混合区間Ｔ１、共通維持区間Ｔ２および輝度補正区間Ｔ３をいずれも含んで構成されうる。一方、中間程度の階調度が割り当てられたサブフィールドは、共通維持区間Ｔ２なしにアドレス／維持混合区間Ｔ１および輝度補正区間Ｔ３でも構成されうる。
【００４０】
リセット期間Ｒはあらゆるグループの走査ラインに対してリセットパルスを印加してセルの壁電荷状態を初期化する。
アドレス／維持混合区間Ｔ１について説明する。第１グループＧ１で第１走査電極Ｙ１１から最後の走査ラインＹ１ｍまで順次走査パルスを印加してアドレス期間ＡＧ１を行う。第１グループのセルに対するアドレス動作がいずれも完了すれば、それらアドレスされたセルを一定数の維持パルスによって維持放電させる維持期間Ｓ１１を行う。
【００４１】
第１グループの第１維持期間Ｓ１１が終了すれば第２グループのセルに対するアドレス期間ＡＧ２が実行される。
第２グループのアドレス期間ＡＧ２が終了すれば、すなわち第２グループに属する走査電極に対するアドレス動作がいずれも完了すれば、第２グループに対する第１維持期間Ｓ２１が実行される。この時、既にアドレス期間が実行された第１グループでも第２維持期間Ｓ１２が実行される。しかし、もし、第１グループの第１維持期間Ｓ１１によって階調度が満足されるならば、第１グループの第２維持期間Ｓ１２は実行されないこともある。もちろん、まだアドレス期間が実行されていないセルは休止状態を維持する。
【００４２】
第２グループの第１維持期間Ｓ２１が終了すれば、第３グループに対して前述したような方式でアドレス期間ＡＧ３および第１維持期間Ｓ３１が実行され、第３グループの第１維持期間Ｓ３１が実行される間に既にアドレス期間が実行された第１、第２グループのセルに対しても維持期間Ｓ１３、Ｓ２２が実行されうる。しかし、もし、第１、第２グループの第１維持期間Ｓ１１、Ｓ２１によって階調度が満足されれば、追加的な維持期間Ｓ１３、Ｓ２２は実行されないこともある。
【００４３】
前述したような過程を経て最後のグループＧｎに属する走査電極に対して順次走査パルスを印加してアドレス期間ＡＧｎを行った後、維持期間Ｓｎ１を行う。維持期間Ｓｎ１が実行される間には他のグループのセルに対しても維持期間が実行される。
【００４４】
図１２は、いずれか一つのグループのセルに対して維持期間を行う間には、その以前にアドレス期間が実行されたグループのセルに対してもいずれも維持期間を行う例を図示している。もし、単位維持期間中に印加される維持パルスの数が同一であり、これにより発現される輝度が同一であると仮定すれば、第ｎグループのセルと比較して、第１グループのセルはｎ倍の輝度を表す。同様に、第ｎグループのセルと比較して、第２グループのセルはｎ−１倍の輝度を表し、第Ｇｎ−１グループのセルは２倍の輝度を表す。このようなグループ別輝度差を均等に補正するために所定の追加的な維持期間が必要であり、そのためのものが図１２に図示された輝度補正区間Ｔ３である。
【００４５】
輝度補正区間Ｔ３は、各グループ別セルの階調度が互いに均等に補正されるように、各グループ別に選択的に実行される維持放電区間である。
共通維持区間Ｔ２は、あらゆるセルに対して一定の期間中に一斉に共通的に維持パルスを印加する期間であり、混合区間Ｔ１、または混合区間Ｔ１および補正区間Ｔ２によって各サブフィールドに割り当てられた階調も仕様が満足されない場合に選択的に実行されうる。共通維持区間Ｔ２は図１２に図示されたように、混合区間Ｔ１後に実行されることもあり、輝度補正区間Ｔ３後に実行されることもある。
【００４６】
図１３Ａは、パネルの画素を４つのグループに区分して前述したような本発明を適用した例を図示した図面である。一つのサブフィールドはリセット期間Ｒ、アドレス／維持混合区間Ｔ１、共通維持区間Ｔ２および輝度補正区間Ｔ３で構成され、図１２で説明されたような方式で動作する。
【００４７】
図１３Ｂは図１３Ａの変形例であって、共通維持区間Ｔ２の前に輝度補正区間Ｔ３が実行される例を示した。
前述した図１３Ａおよび図１３Ｂの実施例は大きい加重値を持つサブフィールドを具現するのに有用である。また、サブフィールドの加重値によって、共通区間Ｔ２の大きさを適切に可変して具現できる。
【００４８】
図１３Ｃは図１３Ａの他の変形例であって、共通維持区間Ｔ２なしに混合区間Ｔ１および輝度補正区間Ｔ３だけで一つのサブフィールドが構成された例を示した。本実施例では、混合区間Ｔ１に少なくとも１グループの維持パルス印加が終了する。すなわち、図面において第１グループＧ１の維持放電が混合区間Ｔ１内で完了する。図１３Ｃの実施例は中間程度の加重値を持つサブフィールドを具現するところに有用である。
【００４９】
図１３Ｄは、図１３Ａのさらに他の変形例であって、混合区間Ｔ１だけで一つのサブフィールドが構成された例を示した。１グループに対するアドレス動作および維持放電動作が完了した後に、他のグループのアドレス動作および維持放電動作を順次に行い、最初のグループから最後のグループまでアドレス／維持期間が順次実行される。図１３Ｄの実施例は、小さな加重値を持つサブフィールドを具現するところに有効である。
【００５０】
図１４Ａは、図１３Ａの駆動方法を二つの走査電極グループＹｇ１、Ｙｇ２に適用したサブフィールド駆動信号の実施例である。
図１４Ａのサブフィールドは、リセット区間Ｒ後に、アドレス／維持混合区間Ｔ１、共通維持区間Ｔ２および輝度補正区間Ｔ３よりなる。
リセット期間Ｒはあらゆるグループの走査ラインに対してリセットパルスを印加してセルの壁電荷状態を初期化する。
【００５１】
アドレス／維持混合区間Ｔ１ではまず、第１グループＹｇ１のアドレス区間ＡＧ１が実行され、第１グループＹｇ１の維持区間Ｓ１１が実行される。第１グループの維持区間Ｓ１１が完了した後、第２グループＹｇ２のアドレス区間ＡＧ２が実行される。その後、第１グループＹｇ１の２番目の維持区間Ｓ１２と、第２グループＹｇ２の最初の維持区間Ｓ２１とが共に実行される。
【００５２】
アドレス／維持混合区間Ｔ１後に共通維持区間Ｔ２が実行される。共通維持区間Ｔ２では、第１グループＹｇ１および第２グループＹｇ２いずれでも放電が行われる。
共通維持区間Ｔ３後に輝度補正区間Ｔ３が行われる。輝度補正区間Ｔ３では、第２グループＹｇ２と共通Ｘ電極間でのみ放電が行われる。
【００５３】
図１４Ａおよび図１１の維持放電信号の電位レベルを比較すれば次の通りである。維持放電信号のハイレベルはＶＳであって、同一である。維持放電信号の第１ローレベルは、図１１ではＶＬ１であり、図１４ＡではＶＧである。維持放電信号の第２ローレベルは、図１１ではＶＬ２であり、図１４ｂではΔＶＳＣである。
この時、走査電極および共通電極に形成された電位差が放電開始電圧より大きければ放電が発生し、そうでなければ放電が発生しない。
【００５４】
図１４Ａで、共通Ｘ電極維持放電信号はハイレベルＶＳおよび第１ローレベルＶＧよりなる。また、走査Ｙｇ１、Ｙｇ２電極維持放電信号はハイレベルＶＳと第１ローレベルＶＧおよび第２ローレベルΔＶＳＣが混合されてなる。
図面で、走査Ｙｇ１、Ｙｇ２電極および共通Ｘ電極のハイレベルＶＳと第１ローレベルＶＧとの電位差により走査Ｙｇ１、Ｙｇ２電極と共通Ｘ電極間に放電開始電圧より高い電圧が形成される。また、共通Ｘ電極のハイレベルＶＳと走査Ｙｇ１、Ｙｇ２電極の第２ローレベルΔＶＳＣとの電位差により共通Ｘ電極と走査Ｙｇ１、Ｙｇ２電極間に放電開始電圧より低い電圧が形成される。
【００５５】
図１４Ａを参照すれば、第１グループＹｇ１のアドレス区間ＡＧ１で選択されたセルでは、Ｓ１１区間で、第１グループ走査電極Ｙｇ１と共通Ｘ電極間にＶＳとＶＧとが交互に印加されることによって２回の放電が発生する。
【００５６】
次いで、第２グループＹｇ２のアドレス区間ＡＧ２で選択されたセルで、Ｓ１２区間で、第２グループ走査電極Ｙｇ２および共通Ｘ電極にそれぞれＶＳとＶＧとが印加されることによって１回の放電がなされる。この時、第１グループ走査電極Ｙｇ１および共通Ｘ電極にもそれぞれＶＳとＶＧとが印加されることによって、第１グループのアドレス区間ＡＧ１で選択されたセルでも１回の放電が発生する。
【００５７】
その次の共通維持区間Ｔ２で、走査電極Ｙｇ１、Ｙｇ２および共通電極ＸにＶＧとＶＳとが交互に印加されることによって、第１グループおよび第２グループで２回の放電が発生する。
【００５８】
その次の輝度補正区間Ｔ３で、第１グループ走査電極Ｙｇ１にはΔＶＳｃとＶＳとが順次印加され、第２グループ走査電極Ｙｇ２にはＶＧとＶＳとが順次印加される。したがって、輝度補正区間Ｔ３では、第１グループのセルでは放電が発生せず、第２グループのセルでのみ２回の放電が発生する。
結局、図１４Ａに図示されたサブフィールドで、第１グループＹｇ１および第２グループＹｇ２は同様に５回の放電が発生する。
【００５９】
図１４Ｂは、図１３Ｂの駆動方法を二つの走査電極グループＹｇ１、Ｙｇ２に適用したサブフィールド駆動信号の実施例である。
図１４Ａと違って、共通維持区間Ｔ２と輝度補正区間Ｔ３との順序が変わっている。混合区間Ｔ１が行われた後に輝度補正区間Ｔ３で、第１グループ走査電極Ｙｇ１にはΔＶＳｃとＶＳとが順次印加され、第２グループ走査電極Ｙｇ２にはＶＧとＶＳとが順次印加される。したがって、輝度補正区間Ｔ３では、第１グループのセルでは放電が発生せず、第２グループのセルでのみ２回の放電が発生する。
結局、図１４Ｂに図示されたサブフィールドで、第１グループＹｇ１および第２グループＹｇ２で同一に５回の放電が発生する。
【００６０】
図１５は、図１４Ａおよび図１４Ｂに図示されたパネル駆動信号を具現するためのＹ駆動部回路図の一例である。ＹｓスイッチとＹｇスイッチ間のノードに連結されたエネルギー回生回路はエネルギー回収用キャパシタ、インダクターを含み、パネルキャパシタンスとインダクター間のＬＣ共振を利用して消費電力の効率を向上させる。エネルギー回生回路は前記特許文献３および４にその例が開示されている。
【００６１】
図１５で、走査キャパシタＣｓｃとＹｓｃスイッチ間の第１ノードを中心とした時、左側部は維持駆動部、上側部は走査信号ハイレベル印加部、下側部は走査信号ローレベル印加部となる。
維持駆動部は、維持信号のハイレベル電源ＶＳに連結されたＹｓスイッチ、維持信号の第１ローレベル電源ＧＮＤに連結されたＹｇスイッチを具備する。維持駆動部は、リセット区間でランプリセット信号を印加する場合、ＶＳＥＴ電源、Ｙｒｒ１スイッチ、Ｙｐｐスイッチをさらに具備できる。
【００６２】
走査信号ハイレベル印加部は、走査キャパシタＣｓｃおよびハイレベル走査電源ＶＳＣ＿Ｈを含む。走査信号ハイレベル印加部は、ハイレベル走査スイッチＳＣ＿Ｈを通じてパネルの走査電極ラインと連結される。
【００６３】
走査信号ローレベル印加部は、Ｙｓｃスイッチおよびローレベル走査電源ＶＳＣ＿Ｌを含む。走査信号ローレベル印加部は、ローレベル走査スイッチＳＣ＿Ｌを通じてパネルの走査電極ラインと連結される。
ハイレベル走査電源ＶＳＣ＿Ｈと走査キャパシタＣｓｃ間のノードに第１スイッチＳ１が連結される。
第１スイッチＳ１とハイレベル走査スイッチＳＣ＿Ｈ間のノードには第２スイッチＳ２によって維持放電信号の第２ローレベル印加部ＶＬ２が連結される。
第１スイッチＳ１と第２スイッチＳ２とは相互トグルスイッチングされる。第１スイッチＳ１および第２スイッチＳ２は輝度補正区間Ｔ３でパネルに供給される維持放電信号の第２ローレベル電源を制御する。ここで、ＶＳＣ＿ＨとＶＬ２とは相異なる電源である。
【００６４】
図１４Ａのアドレス区間ＡＧ１、ＡＧ２が行われる時は、第１スイッチＳ１がターンオンされ、第２スイッチＳ２はターンオフされる。
図１４Ａでは、輝度補正区間Ｔ３で維持放電信号の第２ローレベルとしてΔＶＳＣを印加する。このために図１５で第１スイッチＳ１がターンオンされ、第２スイッチＳ２はターンオフされうる。
もし、図１４Ａの輝度補正区間Ｔ３で維持放電信号の第２ローレベルとしてΔＶＳｃの代りにＶＬ２を印加しようとすれば、第１スイッチＳ１がターンオフされ、第２スイッチＳ２はターンオンされる。
【００６５】
図１５および図１４Ａを参照すれば、リセット区間ＰＲでＶＳ〜ＶＳ＋ＶＳＥＴの上昇ランプ区間は、Ｙｓ、Ｃｓｅｔ、Ｙｒｒ１、ＳＣ＿Ｌ経路によってパネルに印加される。また、リセット区間ＰＲでＶＳ〜ＶＳＣ＿Ｌの下降ランプ区間は、Ｙｓ、Ｙｐｐがターンオンされた状態でＹｆｒ、ＳＣ＿Ｌ経路によってパネルに印加される。リセット区間の最終電位はローレベル走査電位ＶＳＣ＿Ｌである。
【００６６】
アドレス／維持混合区間Ｔ１でまず、第１グループＹｇ１のアドレス区間ＡＧ１が行われる。アドレス区間ＡＧ１が行われる時は第１スイッチＳ１がターンオンされ、第２スイッチＳ２はターンオフされる。この時、ハイレベル走査スイッチングＳＣ＿Ｈがターンオンされ、ローレベル走査スイッチＳＣ＿Ｌがターンオフされれば、ハイレベル走査電圧ＶＳＣ＿Ｌ＋ΔＶＳＣがパネルに印加される。また、ハイレベル走査スイッチングＳＣ＿Ｈがターンオフされ、ローレベル走査スイッチＳＣ＿Ｌがターンオンされれば、ローレベル走査電圧ＶＳＣ＿Ｌがパネルに印加される。ここで、ΔＶＳＣはハイレベル走査電源ＶＳＣ＿Ｈとローレベル走査電源ＶＳＣ＿Ｌとの電圧差であって、走査キャパシタＣｓｃにかかる電圧である。
【００６７】
また、第１グループＹｇ１の維持区間Ｓ１１でＹｓ／Ｙｇが交互にスイッチングされてＹｐｐスイッチおよびＳＣ＿Ｌスイッチを通じて維持パルスが印加される。この時、図面に詳細に図示されていないが、Ｘ駆動部内にもＶＳを印加するスイッチとＶＧを印加するスイッチとが交互にスイッチングされてＳ１１区間でのＸ駆動信号を発生させる。第１グループＹｇ１の維持区間Ｓ１１では、第１グループＹｇ１のアドレス区間ＡＧ１で選択されたセルで２回の放電が発生する。
【００６８】
次いで、第２グループＹｇ２のアドレス区間ＡＧ２が、図１５の回路で、第１グループＹｇ１のアドレス区間ＡＧ１と同じスイッチングメカニズムによって行われる。
次いで、第１グループＹｇ１の２番目の維持区間Ｓ１２、第２グループＹｇ２の最初の維持区間Ｓ２１および共通維持区間Ｔ２で維持放電が、第１グループＹｇ１の最初の維持区間Ｓ１１と同じスイッチングメカニズムによって行われる。
次いで、輝度補正区間Ｔ３が行われる。輝度補正区間Ｔ３が行われる時には第１スイッチＳ１がターンオフされ、第２スイッチＳ２はターンオンされる。
【００６９】
図１４Ａでは、輝度補正区間Ｔ３で維持放電信号の第２ローレベルとしてΔＶＳＣを印加する。このために図１５で第１スイッチＳ１をターンオンし、第２スイッチＳ２はターンオフした状態を維持する。輝度補正区間Ｔ３で維持放電信号のハイレベルＶＳをパネルに印加するためにＹｓスイッチ、ＹｐｐスイッチおよびＳＣ＿Ｌスイッチをターンオンする。輝度補正区間Ｔ３で維持放電信号の第１ローレベルＶＧをパネルに印加するためにＹｇスイッチ、ＹｐｐスイッチおよびＳＣ＿Ｌスイッチをターンオンする。輝度補正区間Ｔ３で維持放電信号の第２ローレベルΔＶＳＣをパネルに印加するためにＹｇスイッチ、ＹｐｐスイッチおよびＳＣ＿Ｈスイッチをターンオンする。
【００７０】
もし、図１４Ａの輝度補正区間Ｔ３で維持放電信号の第２ローレベルとしてΔＶＳｃの代りにＶＬ２をパネルに印加するためには、第１スイッチＳ１をターンオフし、第２スイッチＳ２をターンし、ＳＣ＿Ｈスイッチをターンオンする。
【００７１】
図１６は、図１４Ａおよび図１４Ｂに図示されたパネル駆動信号を具現するためのＹ駆動部回路図の他の例である。図１６は、図１５の回路図にＹｓｃｈ、Ｙｓｐスイッチが追加されたものである。ここで、Ｙｓｃｈは輝度補正区間Ｔ３で図１５の第１スイッチＳ１と同じ役割をする。
【００７２】
リセット区間ＰＲを具現するためのスイッチング動作は、図１５と同一である。
アドレス区間ＡＧ１が行われる時は、第２スイッチＳ２がターンオフされる。この時、Ｙｓｃｈ、ＳＣ＿Ｈがターンオン、ローレベル走査スイッチＳＣ＿Ｌがターンオフされれば、ハイレベル走査電圧ＶＳＣ＿Ｌ＋ΔＶＳＣがパネルに印加される。また、ハイレベル走査スイッチングＳＣ＿Ｈがターンオフ、ローレベル走査スイッチＳＣ＿Ｌがターンオンされれば、ローレベル走査電圧ＶＳＣ＿Ｌがパネルに印加される。ここで、ΔＶＳＣはハイレベル走査電源ＶＳＣ＿Ｈとローレベル走査電源ＶＳＣ＿Ｌとの電圧差であって、走査キャパシタＣｓｃにかかる電圧である。
【００７３】
第１グループＹｇ１の維持区間Ｓ１１、Ｓ１２、第２グループＹｇ２の維持区間Ｓ２１、および共通維持区間Ｔ２ではＹｓ／Ｙｇが交互にスイッチングされてＹｐｐスイッチおよびＳＣ＿Ｌスイッチを通じてパネルに維持パルスが印加される。この時、図面に詳細に図示されていないが、Ｘ駆動部内にもＶＳを印加するスイッチとＶＧを印加するスイッチとが交互にスイッチングされてＳ１１区間でのＸ駆動信号を発生させる。
【００７４】
図１４Ａでは、輝度補正区間Ｔ３で維持放電信号の第２ローレベルとしてΔＶＳＣを印加する。このために図１６でＹｓｃｈスイッチをターンオンし、第２スイッチＳ２はターンオフした状態を維持する。輝度補正区間Ｔ３で維持放電信号のハイレベルＶＳをパネルに印加するためには、Ｙｓスイッチ、ＹｐｐスイッチおよびＳＣ＿Ｌスイッチをターンオンする。輝度補正区間Ｔ３で維持放電信号の第１ローレベルＶＧをパネルに印加するためには、Ｙｇスイッチ、ＹｐｐスイッチおよびＳＣ＿Ｌスイッチをターンオンする。輝度補正区間Ｔ３で維持放電信号の第２ローレベルΔＶＳＣをパネルに印加するためには、Ｙｇスイッチ、Ｙｐｐスイッチ、Ｙｓｃｈスイッチ、およびＳＣ＿Ｈスイッチをターンオンする。
【００７５】
もし、図１４Ａの輝度補正区間Ｔ３で維持放電信号の第２ローレベルとしてΔＶＳｃの代りにＶＬ２をパネルに印加するためには、Ｙｓｃｈスイッチをターンオフし、第２スイッチＳ２をターンオン、ＳＣ＿Ｈスイッチをターンオンする。
輝度補正区間Ｔ３で維持放電信号の第２ローレベルとしてΔＶＳＣを印加する場合に、前述した図１５および図１６の回路図で第１スイッチＳ１および第２スイッチＳ２を省略できることが理解できる。すなわち、輝度補正区間Ｔ３で維持放電信号の第２ローレベルとしてΔＶＳＣを印加する場合であれば、図６ないし図９に例示された従来の回路によっても、そのスイッチング制御動作を通じて本発明のパネル駆動方法を具現できることが理解できる。
【００７６】
本発明はコンピュータ可読記録媒体にコンピュータ可読コードとして具現できる。コンピュータ可読記録媒体はコンピュータシステムによって読取られるプログラムやデータが保存されるあらゆる種類の記録装置を含む。コンピュータ可読記録媒体の例としては、ＲＯＭ、ＲＡＭ、ＣＤ−ＲＯＭ、磁気テープ、ハードディスク、フロッピー(登録商標)ディスク、フラッシュメモリ、光データ保存装置などがある。ここで、記録媒体に保存されるプログラムとは、特定の結果を得るためにコンピュータなどの情報処理能力を持つ装置内で直接または間接的に使われる一連の指示命令で表現されたものをいう。したがって、コンピュータという用語も、実際使われる名称に関係なくメモリ、入出力装置、演算装置を具備してプログラムによって特定の機能を行うための情報処理能力を持つあらゆる装置を総括する意味として使われる。パネルを駆動した装置の場合も、その用途がパネル駆動という特定分野に限定されただけでその実体は一種のコンピュータといえる。
【００７７】
前述したように、図２に図示されたパネル駆動装置に含まれる論理制御部２０２および映像処理部２００はその内部にメモリおよびプロセッサーを含む集積回路で構成されて、パネルを駆動させるための方法が具現されたプログラムをメモリに保存できる。パネル駆動時にはメモリに保存されたプログラムを実行して本発明によるアドレスおよび維持動作を行える。したがって、このようにパネル駆動方法を実行するプログラムが保存された集積回路は前記の記録媒体の一種として解釈されねばならない。
【００７８】
特に、パネルを駆動させるための方法は、コンピュータ上で系統図または超高速集積回路ハードウェア技術言語（ＶＨＤＬ）により作成され、コンピュータに連結されてプログラム可能な集積回路、例えばＦＰＧＡ（Ｆｉｅｌｄ Ｐｒｏｇｒａｍｍａｂｌｅ Ｇａｔｅ Ａｒｒａｙ）により具現される。前記記録媒体は、このようなプログラム可能な集積回路を含む。
【００７９】
以上、図面および明細書で最適の実施例が開示された。ここで特定の用語が使われたが、これは単に本発明を説明するための目的で使われたものであって、意味限定や特許請求の範囲に記載された本発明の範囲を制限するために使われたものではない。したがって、本技術分野の当業者ならばこれより多様な変形および均等な他の実施例が可能であるという点を理解できる。したがって、本発明の真の技術的保護範囲は特許請求の範囲の技術的思想により定められねばならない。
【産業上の利用可能性】
【００８０】
本発明のパネル電極の駆動方式は、ターンオンしようとするセルをあらかじめ選択するアドレス期間およびその選択されたセルを発光させる維持期間を順次に行う表示装置にはいずれも適用可能である。例えば、ＡＣ型ＰＤＰだけでなくＤＣ型ＰＤＰと共に、ＥＬ（電光）表示装置、または液晶装置のように空間電荷によってアドレス期間と維持期間とを順次に行って画面を表示する装置にも本発明の技術的思想がそのまま適用できることは当業者に明らかである。
【図面の簡単な説明】
【００８１】
【図１】通常的な３電極面放電方式のＰＤＰの構造を示した図面である。
【図２】図１に図示されたＰＤＰの通常的な駆動装置を示した図面である。
【図３】図１のＰＤＰのＹ電極ラインに対する通常的なＡＤＳ駆動方法を示した図面である。
【図４】図１に図示されたパネルの駆動信号の一例を説明するためのタイミング図である。
【図５】図１に図示されたパネルの駆動信号の他の例を説明するためのタイミング図である。
【図６】図４に図示されたパネル駆動信号を具現するための回路図の一例である。
【図７】図４に図示されたパネル駆動信号を具現するための回路図の他の例である。
【図８】図５に図示されたパネル駆動信号を具現するための回路図の一例である。
【図９】図５に図示されたパネル駆動信号を具現するための回路図の他の例である。
【図１０】走査電極を複数個のグループに区分して、各グループに対して一つのフレームを複数個のサブフィールドに分割して駆動するディスプレイパネル駆動方法を説明するための図面である。
【図１１】本発明の望ましい一実施例によるディスプレイパネル駆動方法を説明するための維持区間一部のタイミング図である。
【図１２】本発明のアドレス／維持放電の混合方式によるディスプレイパネル駆動方法の望ましい一実施例を説明するための概略的な概念図である。
【図１３Ａ】パネルの画素を４つのグループに区分して図１２に適用したディスプレイパネル駆動方法の望ましい一実施例である。
【図１３Ｂ】Ａの変形例であって、共通維持区間の前に輝度補正区間が行われる例である。
【図１３Ｃ】図１３Ａの他の変形例であって、共通維持区間なしに混合区間および輝度補正区間だけで一つのサブフィールドが構成された例である。
【図１３Ｄ】図１３Ａのさらに他の変形例であって、混合区間だけで一つのサブフィールドが構成された例である。
【図１４Ａ】図１３Ａの駆動方法を二つの走査電極グループに適用したサブフィールド駆動信号の実施例である。
【図１４Ｂ】図１３Ａの駆動方法を二つの走査電極グループに適用したサブフィールド駆動信号の実施例である。
【図１５】図１４Ａおよび図１４Ｂに図示されたパネル駆動信号を具現するためのＹ駆動部回路図の一例である。
【図１６】図１４Ａおよび図１４Ｂに図示されたパネル駆動信号を具現するためのＹ駆動部回路図の他の例である。
【図１】
2005284249.tif 000003
【図２】
2005284249.tif 000004
【図３】
2005284249.tif 000005
【図４】
2005284249.tif 000006
【図５】
2005284249.tif 000007
【図６】
2005284249.tif 000008
【図７】
2005284249.tif 000009
【図８】
2005284249.tif 000010
【図９】
2005284249.tif 000011
【図１０】
2005284249.tif 000012
【図１１】
2005284249.tif 000013
【図１２】
2005284249.tif 000014
【図１３Ａ】
2005284249.tif 000015
【図１３Ｂ】
2005284249.tif 000016
【図１３Ｃ】
2005284249.tif 000017
【図１３Ｄ】
2005284249.tif 000018
【図１４Ａ】
2005284249.tif 000019
【図１４Ｂ】
2005284249.tif 000020
【図１５】
2005284249.tif 000021
【図１６】
2005284249.tif 000022